(57)【要約】【課題】床面と便器との僅かな隙間に差し込むことが可能な程度に薄く、且つ吸水性や強度が十分で好適に敷くことができるトイレ床面用吸水性薄型シートを提供すること。【解決手段】トイレの床面に敷かれ、便器の外へ飛散する尿水等を吸水するシートであって、前記シートの形態を形作って上面１０ａが吸水面となる和紙１０と、その和紙１０の下面１０ｂに、粘着性のゲル材が固着されることで床面に対する滑り止め用として設けられた粘着ゲル部２０とを備える。上層の和紙１１と下層の和紙１２との間には、吸水性ポリマーによる吸水層３０が設けられている。【選択図】図１
0003135380.tif 000002
【実用新案登録請求の範囲】
【請求項１】
トイレの床面に敷かれ、便器の外へ飛散する尿水等を吸水するシートであって、
前記シートの形態を形作って上面が吸水面となる和紙と、
該和紙の下面に、粘着性のゲル材が固着されることで前記床面に対する滑り止め用として設けられた粘着ゲル部とを備えることを特徴とするトイレ床面用吸水性薄型シート。
【請求項２】
前記和紙が、上層の和紙と下層の和紙の二層に形成され、前記上層の和紙が吸水部として設けられ、前記下層の和紙が撥水性の処理がなされた撥水部として設けられていることを特徴とする請求項１記載のトイレ床面用吸水性薄型シート。
【請求項３】
前記上層の和紙と下層の和紙との間に吸水性ポリマーによる吸水層が設けられていることを特徴とする請求項２記載のトイレ床面用吸水性薄型シート。
【請求項４】
前記粘着ゲル部の形態が、和紙の下面に部分的で且つ全面に均一に分散された形状となるように、格子状又はドットパターン状等に形成されていることを特徴とする請求項１、２又は３記載のトイレ床面用吸水性薄型シート。
【請求項５】
前記粘着性のゲル材が、オレフィン系のゲルであることを特徴とする請求項１、２、３又は４記載のトイレ床面用吸水性薄型シート。
【考案の詳細な説明】
【技術分野】
【０００１】
この考案は、トイレの床面に敷かれ、便器の外へ飛散する尿水等を吸水するシートであるトイレ床面用吸水性薄型シートに関する。
【背景技術】
【０００２】
トイレの床面は、男性用の小便器の周囲に尿水が飛散するなど、汚れ易い。公共施設などの多くの人が利用するトイレでは、頻繁に清掃を行う必要がある。
この清掃作業には多くの労力を要し、尿の成分が床にダメージを与える場合もある。
一般家庭では布地製のトイレマットが利用されているが、多くの人が使用するトイレでは管理面及び衛生面に難点があって利用できない。また、通常のトイレマットのように厚手の敷物であると、足が引っ掛かり易く、特に高齢者の施設において危険である。
【０００３】
先行技術としては、吸湿性または吸水性のシートと、シートの片面に形成された水透過防止用の層と、その層のシートと反対側の表面の少なくとも一部に形成された粘着剤層または滑り止め層が形成されてなる使い捨てトイレマットが開示されている（特許文献１参照。）
【特許文献１】特開平７−２１３４５８号公報（第１頁、第１図）
【考案の開示】
【考案が解決しようとする課題】
【０００４】
トイレ床面用吸水性薄型シートに関して解決しようとする問題点は、足が引っ掛からないようにシートの薄さを追求すれば、吸水性や強度が十分でなくなり、床面にピンと張った状態に敷くことが難しくなることにある。
そこで本考案の目的は、床面と便器との僅かな隙間に差し込むことが可能な程度に薄く、且つ吸水性や強度が十分で好適に敷くことができるトイレ床面用吸水性薄型シートを提供することにある。
【課題を解決するための手段】
【０００５】
本考案は、上記目的を達成するために次の構成を備える。
本考案にかかるトイレ床面用吸水性薄型シートによれば、トイレの床面に敷かれ、便器の外へ飛散する尿水等を吸水するシートであって、前記シートの形態を形作って上面が吸水面となる和紙と、該和紙の下面に、粘着性のゲル材が固着されることで前記床面に対する滑り止め用として設けられた粘着ゲル部とを備えることを特徴とする。
【０００６】
また、本考案にかかるトイレ床面用吸水性薄型シートによれば、前記和紙が、上層の和紙と下層の和紙の二層に形成され、前記上層の和紙が吸水部として設けられ、前記下層の和紙が撥水性の処理がなされた撥水部として設けられていることを特徴とすることができる。
また、本考案にかかるトイレ床面用吸水性薄型シートによれば、前記上層の和紙と下層の和紙との間に吸水性ポリマーによる吸水層が設けられていることを特徴とすることができる。
【０００７】
また、本考案にかかるトイレ床面用吸水性薄型シートによれば、前記粘着ゲル部の形態が、和紙の下面に部分的で且つ全面に均一に分散された形状となるように、格子状又はドットパターン状等に形成されていることを特徴とすることができる。
また、本考案にかかるトイレ床面用吸水性薄型シートによれば、前記粘着性のゲル材が、オレフィン系のゲルであることを特徴とすることができる。
【考案の効果】
【０００８】
本考案のトイレ床面用吸水性薄型シートによれば、床面と便器との僅かな隙間に差し込むことが可能な程度に薄く、且つ吸水性や強度が十分で好適に敷くことができるという特別顕著な効果を奏する。
【考案を実施するための最良の形態】
【０００９】
以下、本考案にかかるトイレ床面用吸水性薄型シートの最良の形態例を添付図面（図１〜５）に基づいて詳細に説明する。
図１は本考案にかかるトイレ床面用吸水性薄型シートの形態例を模式的に示す断面図である。図２〜４は本考案にかかるトイレ床面用吸水性薄型シートの下面の形態例を模式的に示す斜視図である。また、図５は本考案にかかるトイレ床面用吸水性薄型シートの使用状態を説明する斜視図である。
【００１０】
１０は和紙であり、シートの形態を形作って上面１０ａが吸水面となっている。
本形態例の和紙１０は、上層の和紙１１と下層の和紙１２の二層に形成され、上層の和紙１１が吸水部として設けられ、下層の和紙１２が撥水性の処理がなされた撥水部として設けられている。つまり、和紙が二枚重ねに構成されたシートになっている。
上層の和紙１１は、上面の保護をする層としても機能し、下層の和紙１２は、ベースの層として機能している。
また、下層の和紙１２にかかる撥水性の処理としては、例えば、撥水性のインクを用いて印刷技術を利用して刷り込むことができる。これによれば、下層の和紙１２に尿水が染み込むことを防止でき、床面が汚れることを防止できる。
【００１１】
本考案はこのような二重構造の和紙に限定されず、吸水容量が低くてもよい場合は後述する吸水性ポリマーによる吸水層３０を必要とせず、一枚の和紙であってもよい。
和紙１０は、長い繊維が絡み合って形成されたものであり、薄いが、十分な強度を有すると共に極めて高い吸水性能を有する。
本形態例では、長野県飯山市で生産されているコウゾを原料とした和紙である「内山和紙（商標）」を用いたが、十分な強度と、高い吸水性能を備えている。
【００１２】
２０は粘着ゲル部であり、和紙１０の下面１０ｂに、粘着性のゲル材が固着されることで床面に対する滑り止め用として設けられている。
粘着性のゲル材としては、例えば、オレフィン系のゲルを用いることができる。
このような粘着性のゲル材によれば、和紙１０を形成する繊維の間へ入り込んだ状態で密着できるため、その和紙１０の表面部（下面１０ｂ）に強力に固着できる。従って、粘着ゲル部２０は、和紙１０の下面１０ｂに、容易には剥がれないように好適に形成されている。
なお、粘着ゲル部２０を和紙１０の面上に形成するには、流動化させた粘着ゲル部２０を型に流し込む樹脂成形技術を応用することによって行うことができる。
【００１３】
また、粘着性のゲル材は、種々の表面に密着して好適に貼り付き、しかも、剥がし易い性質がある。従って、この粘着性のゲル材によって形成された粘着ゲル部２０によれば、本考案にかかるシートを種々の床面にピンと張った状態に貼着できる。また、そのシートを床面から容易に剥がすことができる。
これに対して通常の接着剤を用いた場合には、床面の側に強く貼り付いて剥がれないことがある。また、剥離性の良い接着剤を用いた場合は、床面によっては十分な貼り付け力を得られない場合がある。これに対して粘着性のゲル材は、適度な貼り付け力と、貼着面（床面）に残ることがない好適な剥離性を有する。
【００１４】
粘着ゲル部２０の形態は、和紙１０の下面１０ｂに部分的で且つ全面に均一に分散された形状となるように、格子状（図２参照）又はドットパターン状（図３参照）等に形成することができる。これによれば、本考案のシートが、床部に全面で均一に密着でき、滑り止め効果を向上できる。
なお、このような粘着ゲル部２０のパターンは、印刷技術を応用することによって形成することができる。
【００１５】
また、図２又は図３の形態のような粘着ゲル部２０を全面的に均一に配することに限定されず、図４のように、必要な部分のみに粘着ゲル部２０を設けてもよい。図４の形態例では、本考案のシートを張る最小限の位置として四隅に設けられている。
図５のように、本考案のシートの一部を便器の下の部分に差し込むような場合には、少なくともその差し込む部分については、粘着ゲル部２０を設けないとよい。これによれば、差し込む部分の厚みを可及的に薄くでき、且つ差し込む際の床面との抵抗をなくすことができ、本考案のシートを床面上に好適に配することができる。
【００１６】
３０は吸水層であり、上層の和紙１１と下層の和紙１２との間に吸水性ポリマーによって形成されている。
なお、一旦吸水した尿水は乾燥するため、通常は和紙１０のみでも吸水性を維持できる。このため、吸水層３０は、高い吸水性能を必要とする場合に設ければよい。
【００１７】
以上の構成からなるトイレ床面用吸水性薄型シートによれば、四層構造（図１参照）であるが、厚さを約１ｍｍ程度に形成できる。この薄型のシートは、床面と便器（小便器４０（図５参照））との僅かな隙間に入り込むことができる。このため、隙間の汚れを防止でき、清掃作業を省力化できる。
なお、本考案のシートは、ハサミなどで簡単に切断できるから、使用者が状況に応じて適宜の形状に切断して用いてもよい。例えば、コーナー部分などの邪魔になる部分は、予め丸くしておいてもよい。
【００１８】
また、本考案にかかる和紙１０には、様々な付加価値を持たせることができる。以下に付加可能な構成を列挙する。
芳香性を付与する。例えば、アロマオイルなどを染み込ませる。
活性炭を配合して消臭効果を持たせる。
様々なデザインで、便器の周りを明るく装飾できる。
注意書きや格言などを印刷して注意を促す。
夜光塗料などにより、暗い場所でも分かるようにする。
また、和紙自体には、和紙の持つ温かみが、癒しの効果をもたらす。和紙から発生するマイナスイオンが、安らぎを与える効果がある。
【００１９】
以上、本考案につき好適な形態例を挙げて種々説明してきたが、本考案はこの形態例に限定されるものではなく、考案の精神を逸脱しない範囲内で多くの改変を施し得るのは勿論のことである。
【図面の簡単な説明】
【００２０】
【図１】本考案に係る形態例を模式的に示す断面図である。
【図２】本考案に係る形態例の下面を模式的に示す斜視図である。
【図３】本考案に係る他の形態例の下面を模式的に示す斜視図である。
【図４】本考案に係る他の形態例の下面を模式的に示す斜視図である。
【図５】本考案に係る形態例の使用状態を説明する斜視図である。
【符号の説明】
【００２１】
１０  和紙
１０ａ  上面
１０ｂ  下面
１１  上層の和紙
１２  下層の和紙
２０  粘着ゲル部
３０  吸水層
４０  小便器
【図１】
0003135380.tif 000003
【図２】
0003135380.tif 000004
【図３】
0003135380.tif 000005
【図４】
0003135380.tif 000006
【図５】
0003135380.tif 000007